(57)【特許請求の範囲】
【請求項１】
被写体からの光を撮像する撮像素子と、
前記撮像素子からの撮像信号に基づく複数のフレーム画像により形成される動画像の撮影を開始してから前記動画像の撮影を終了するまでの間、撮影画面内における被写体像の該撮影画面に対する相対的な大きさに関する情報を検出する大きさ情報検出部と、
前記大きさ情報検出部により検出される前記撮影画面に対する前記被写体像の大きさ情報に基づいて、単位時間に記録される前記フレーム画像の数を示す記録フレームレートを、第１記録フレームレートから該第１記録フレームレートとは異なる第２記録フレームレートに切り換える切換部と、
前記動画像の撮影を開始してから、途中前記切換部による切換えを介して前記動画像の撮影を終了するまでの間に記録される複数の前記フレーム画像に基づいて、動画像データを作成する動画像データ作成部と、
を備えることを特徴とする撮像装置。
【請求項２】
前記第１記録フレームレート及び前記第２記録フレームレートの少なくとも一方を設定する設定部を備え、
前記設定部は、前記被写体像の大きさ情報が所定閾値よりも小さい値から該所定閾値よりも大きい値に変化する第１の場合には、前記第１記録フレームレートを前記第２記録フレームレートよりも少ない記録フレームレートに設定し、
前記被写体像の大きさ情報が前記所定閾値よりも大きい値から該所定閾値よりも小さい値に変化する第２の場合には、前記第２記録フレームレートを前記第１記録フレームレートより少ない記録フレームレートに設定することを特徴とする請求項１記載の撮像装置。
【請求項３】
前記設定部は、
前記第１の場合であって、且つ前記被写体像の前記大きさ情報が順次大きくなる場合には、該大きさ情報の当該変化に従って、前記第１記録フレームレートを前記第２記録フレームレートを超えない範囲内で順次上げていき、
一方、前記第２の場合であって、且つ前記被写体像の前記大きさ情報が順次小さくなる場合には、該大きさ情報の当該変化に従って、前記第２記録フレームレートを前記第１記録フレームレート未満の範囲内で順次下げていくことを特徴とする請求項２記載の撮像装置。
【請求項４】
前記撮影画面内における前記被写体像の位置を検出する位置検出部を備え、
前記切換部は、前記位置検出部により検出される前記被写体像の位置に基づいて、前記記録フレームレートを、前記第１記録フレームレートから前記第２記録フレームレートに切り換えることを特徴とする請求項１〜請求項３の何れか一項に記載の撮像装置。
【発明の詳細な説明】
【技術分野】
【０００１】
本発明は、動画像を記録可能な撮像装置に関するものである。
【背景技術】
【０００２】
イメージセンサからの動画像に含まれる移動体の画像に基づいて移動体の移動速度を検出し、この検出された移動体の移動速度が所定値以下の時はイメージセンサを３０枚／秒の標準フレームレートで動作させ、所定値より大きい時は標準フレームレートより高いフレームレートで動作させる撮像装置が提案されている（例えば、特許文献１参照）。
【先行技術文献】
【特許文献】
【０００３】
【特許文献１】特開２００１−３５８９８４号公報
【発明の概要】
【発明が解決しようとする課題】
【０００４】
しかしながら、上述の従来技術では、撮像装置に対して遠い位置にいる移動体が遠くで速く移動している場合において標準フレームレートと異なるフレームレートに切り換えられる等、フレームレートの切換え効果が得られない場合においてもフレームレートの切換えが行われる場合があった。
【０００５】
ところで、動画像を撮影する場合において、略等速で移動している被写体が遠くで速く、近くで遅く移動しているように変化する動画像のような、印象的な映像効果を有する動画像を、容易に取得可能な技術が所望されている。しかしながら、上述のような印象的な映像効果を有する動画像を、使用者がビデオカメラ等を手動操作して撮影しようとした場合には高度な操作技術を要していた。
【０００６】
本発明の目的は、印象的な映像効果を有する動画像を含む動画像データを容易に作成することができる撮像装置を提供することである。
【課題を解決するための手段】
【０００８】
本発明の撮像装置は、被写体からの光を撮像する撮像素子と、前記撮像素子からの撮像信号に基づく複数のフレーム画像により形成される動画像の撮影を開始してから前記動画像の撮影を終了するまでの間、撮影画面内における被写体像の該撮影画面に対する相対的な大きさに関する情報を検出する大きさ情報検出部と、前記大きさ情報検出部により検出される前記撮影画面に対する前記被写体像の大きさ情報に基づいて、単位時間に記録される前記フレーム画像の数を示す記録フレームレートを、第１記録フレームレートから該第１記録フレームレートとは異なる第２記録フレームレートに切り換える切換部と、前記動画像の撮影を開始してから、途中前記切換部による切換えを介して前記動画像の撮影を終了するまでの間に記録される複数の前記フレーム画像に基づいて、動画像データを作成する動画像データ作成部と、を備えることを特徴とする。
【発明の効果】
【０００９】
本発明の撮像装置によれば、印象的な映像効果を有する動画像を含む動画像データを容易に作成することができる。
【図面の簡単な説明】
【００１０】
【図１】実施の形態に係る電子カメラのシステム構成を示すブロック図である。
【図２】実施の形態に係る電子カメラにおいて動画像を撮影する際の処理について説明するためのフローチャートである。
【図３】実施の形態に係る表示部の表示例を示す図である。
【図４】実施の形態に係る表示部の表示例を示す図である。
【図５】実施の形態に係る表示部の表示例を示す図である。
【図６】実施の形態に係る電子カメラにおいて動画像を撮影するための設定を行う際の処理について説明するためのフローチャートである。
【図７】実施の形態に係る表示部の表示例を示す図である。
【図８】テンプレートを示す図である。
【図９】第１の実施の形態に係る電子カメラにおいて動画像を撮影する際の処理について説明するためのフローチャートである。
【図１０】第１の実施の形態に係る電子カメラにおいて動画像を撮影する際の処理について説明するためのタイムチャートである。
【図１１】動画像ファイルの作成について説明するための図である。
【図１２】第２の実施の形態に係る電子カメラにおいて動画像を撮影する際の処理について説明するためのフローチャートである。
【図１３】第２の実施の形態に係る電子カメラにおいて動画像を撮影する際の処理について説明するためのタイムチャートである。
【図１４】第３の実施の形態に係る電子カメラにおいて動画像を撮影する際の処理について説明するためのフローチャートである。
【図１５】実施の形態に係る表示部の表示例を示す図である。
【図１６】実施の形態に係る表示部の表示例を示す図である。
【発明を実施するための形態】
【００１１】
以下、図面を参照して、本発明の第１の実施の形態に係る撮像装置としての電子カメラについて説明する。なお、この実施の形態に係る電子カメラは、レンズ交換式の電子カメラであって、図示しない撮影レンズが装着されているものとして説明するが、レンズ一体式の電子カメラであってもよい。また、この実施の形態においては、静止画像及び動画像が撮影可能な電子カメラを例に挙げて説明するが、動画像のみ撮影可能な電子カメラであってもよい。
【００１２】
図１は、第１の実施の形態に係る電子カメラ２のシステム構成を示すブロック図である。図１に示すように、電子カメラ２は、マイクロプロセッサ等により構成され、電子カメラ２の各部を統括的に制御する制御部４を備えている。制御部４には、撮像素子６、アンプ・Ａ／Ｄ変換部８、動画用バッファメモリ１２、静止画用バッファメモリ１４、音声用バッファメモリ１６、記録媒体１８、表示部２０、スピーカ２２、操作部２４、及び大きさ情報検出部２６が接続されている。
【００１３】
撮像素子６は、ＣＣＤまたはＣＭＯＳ等により構成され、図示しない撮影レンズを介した被写体からの光を撮像して撮像信号を制御部４に対して出力する。アンプ・Ａ／Ｄ変換部８は、マイク１０により集音された電子カメラ２周辺の音声のアナログ信号をデジタル信号に変換し、変換された音声のデジタル信号を制御部４に対して出力する。
【００１４】
動画用バッファメモリ１２は、撮像素子６からの撮像信号に基づき作成され、制御部４内の図示しない縮小回路を介することにより動画像用の解像度にリサイズ（解像度大から小へ）された動画像データを一時的に記憶する。静止画用バッファメモリ１４は、撮像素子６からの撮像信号に基づき作成された静止画像データを一時的に記憶する。音声用バッファメモリ１６は、アンプ・Ａ／Ｄ変換部８から出力された音声のデジタル信号に基づき作成された音声データを一時的に記憶する。
【００１５】
記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部４において作成された動画像データに制御部４内の図示しない動画用信号処理回路により動画像用の画像処理が施され、制御部４内の図示しない動画用圧縮回路により動画像用の圧縮処理が施された動画像データが記録される。同様に、記録媒体１８には、制御部４において作成された静止画像データに制御部４内の図示しない静止画用信号処理回路により静止画像用の圧縮処理が施された静止画像データ、及び制御部４において作成され、対応する動画像データに付加された音声データ等が記録されている。
【００１６】
表示部２０は、電子カメラ２の背面部に配置されるＬＣＤ等により構成されるモニタまたはＥＶＦ等により構成され、撮像素子６からの撮像信号に基づくスルー画像、記録媒体１８に記録されている画像データに基づく静止画像や動画像、後述するシナリオ動画撮影モード毎にサンプル動画データとしてカメラ内の不図示のメモリに記憶されているサンプル動画、及び撮影に関する情報等を表示する。スピーカ２２は、記録媒体１８に記録されている音声データや、前述のカメラ内の不図示のメモリに記憶されているサンプル動画データに付随して不図示のメモリに記録されている音声データに基づく音声を出力する。
【００１７】
操作部２４は、電子カメラ２の電源をオン／オフする電源スイッチ、静止画像や動画像及び音声の記録を開始する際に操作される録画開始ボタン（例えば、ＲＥＣボタンやシャッタボタン等）、動画像及び音声の記録を終了する際に操作される録画終了ボタン（例えば、ＲＥＣボタンやシャッタボタン等）、表示部２０にメニュー等を表示させるためのメニューボタン、メニュー項目等の選択や様々な設定時に操作される十字キー、メニュー項目等の選択や様々な設定に対する確定操作を行うためのＯＫボタン等を含んで構成されている。
【００１８】
大きさ情報検出部２６は、電子カメラ２において動画像の撮影を開始してから動画像の撮影を終了するまでの間、撮影画面内における主要被写体像の撮影画面に対する相対的な大きさに関する情報（以下、大きさ情報という）を検出する。具体的には、予め主要被写体のテンプレートを作成し、作成したテンプレートを図示しないメモリ等に記憶させておく。そして、動画像を撮影する際に、メモリ等に記憶されているテンプレートから主要被写体を特定し、例えば撮影画面全体の画素数に対する主要被写体像の画素数を算出する等の周知の画像処理技術を用いて、主要被写体像の大きさ情報を検出する。なお、大きさ情報には、主要被写体像の撮影画面に対する相対的な面積、主要被写体像の撮影画面に対する相対的な縦方向の長さ、及び主要被写体像の撮影画面に対する相対的な横方向の長さの少なくとも１つが含まれる。
【００１９】
この実施の形態に係る電子カメラ２では、撮像素子６からの撮像信号に基づくフレーム画像の単位時間に記録される数を制御することにより、略等速で移動している被写体が電子カメラ２に対して遠いときは速く、近いときは遅く移動しているように再生される動画像を自動的に撮影することができる。以下、図２に示すフローチャートを参照して、第１の実施の形態に係る電子カメラ２において上述の動画像を撮影する際の処理について説明する。
【００２０】
まず、制御部４は、ユーザーにより動画撮影メニューの表示指示（例えば、メニューボタンの押下）がなされると、表示部２０に、例えば図３に示すような動画撮影メニュー画面２７を表示する（ステップＳ１０）。動画撮影メニュー画面２７には、様々な動画撮影モードを選択可能な項目（図３では、シナリオ動画撮影モードＡ，Ｂ，Ｃ，Ｄ，Ｅ）が表示される。ユーザーにより十字キー等を用いて１つの動画撮影モード（図３では、シナリオ動画撮影モードＢ）が選択され、ＯＫボタンが押下されると、制御部４は、表示部２０に、例えば図４に示すような画面２８を表示する。画面２８には、「サンプル動画を表示しますか？」等のメッセージ、及びメッセージに対する回答を選択するための項目（図４では、「Ｙｅｓ」及び「Ｎｏ」）が表示される。
【００２１】
なお、この実施の形態では、シナリオ動画撮影モードＢが動いている被写体が近づくとスロー再生される動画像を撮影するモードであるものとする。また、サンプル動画は、各シナリオ動画撮影モードについての特徴的な映像効果を的確にユーザーに示すためにシナリオ動画撮影モード毎に予め作成されて電子カメラ２内の不図示のメモリ内に記憶されている動画像であり、ユーザーは、サンプル動画を視認することにより、選択したシナリオ動画撮影モードで撮影できる動画像がどういった形態（態様）のものかを容易に理解することができる。
【００２２】
ユーザーにより十字キー等を用いて「Ｙｅｓ」が選択され、ＯＫボタンが押下されると（ステップＳ１１、Ｙｅｓ）、制御部１０は、表示部２０に、例えば図５に示すようなサンプル動画の表示を行うための画面２９を表示する（図４から図５に表示が切り替わる）。画面２９には、サンプル動画を表示するためのサンプル動画表示エリア２９ａ、選択されたシナリオ動画撮影モードＢについて説明するための簡単な説明文（図５では、「動いている被写体が近づくとスロー再生される動画を撮影します。」）を表示するメッセージ表示エリア２９ｂ、サンプル動画の再表示または動画撮影への移行を選択するためのアイコン（図５では、「再表示」及び「撮影へ」）がそれぞれ表示される。そして、制御部４は、サンプル動画表示エリア２９ａに、シナリオ動画撮影モードＢのサンプル動画を表示する（ステップＳ１２）。
【００２３】
なお、シナリオ動画撮影モードには、図５中の説明文にあるような動画を撮影するモード以外にも、例えば、撮影画面内で撮影距離の異なる被写体に対して順次フォーカスを切り換えながら動画を撮影するモードや、フォーカス状態とズーム状態を同時に変更しながら動画を撮影するモード等、モード毎に互いに異なるシナリオの下で再生表示されて様々な映像効果が得られる動画撮影モード（他のシナリオ動画撮影モードＡ，Ｃ〜Ｅ）が設けられている。
【００２４】
ユーザーにより十字キー等を用いて「再表示」が選択され、ＯＫボタンが押下されると（ステップＳ１３、Ｙｅｓ）、制御部４は、図５に示す画面２９において、サンプル動画表示エリア２９ａにシナリオ動画撮影モードＢに対応するサンプル動画を再表示する（ステップＳ１２）。一方、図４に示す画面２８においてユーザーにより「Ｎｏ」が選択された場合（ステップＳ１１、Ｎｏ）、または図５に示す画面２９においてユーザーにより「撮影へ」が選択された場合（ステップＳ１３、Ｎｏ）には、制御部４は、シナリオ動画撮影モードＢ、即ち動いている被写体が近づくとスロー再生される動画像を撮影するための設定へと移行する（ステップＳ１４）。
【００２５】
図６は、シナリオ動画撮影モードＢの動画像を撮影するための設定を行う際の処理について説明するためのフローチャートである。
【００２６】
まず、制御部４は、図７に示すように、表示部２０の表示面にスルー画像３０、主要被写体を指定するための指定枠（図７では四隅を示す記号）３２、表示面上部にユーザーに対して主要被写体の指定を促すメッセージ（図７では「十字キーで主要被写体を枠内に移動させてください。」）３４ａ、及び表示面右下部にユーザーに対して主要被写体体を指定した後にＯＫボタンを押下する旨を示すメッセージ３４ｂ等を表示する（ステップＳ２０）。ユーザーは、表示部２０の表示面に表示されているスルー画像３０上において、主要被写体（図７では車）を指定する。なお、指定枠３２の大きさは、変更可能に構成されている。そして、ユーザーにより主要被写体が指定され、ＯＫボタンが押下されると、制御部４は、指定枠３２内の被写体を主要被写体として設定し（ステップＳ２１）、図８に示すように、ステップＳ２１において設定された主要被写体のテンプレート（図８では、車のテンプレート）３６を図示しないメモリ等に記憶する（ステップＳ２２）。この際、表示部２０の表示面上に「テンプレートを記憶しました。」等のメッセージを表示させることもできる。
【００２７】
なお、この実施の形態では、シナリオ動画撮影モードＢの動画像を撮影する直前に図６に示すステップＳ２０〜Ｓ２２の処理を行っているが、事前に主要被写体のテンプレート３６を作成し、記憶させておくこともできる。
【００２８】
動画像撮影のための設定（テンプレートの設定）を終えた後、制御部４は、動画像の撮影へと移行する（図２のステップＳ１５）。なお、シナリオ動画撮影モードＢの動画像には、「電子カメラ２に対して主要被写体が遠くから近くに移動する動画像」と、「電子カメラ２に対して主要被写体が近くから遠くに移動する動画像」とが存在する。
【００２９】
まず、図９のフローチャート及び図１０のタイムチャートを参照して、シナリオ動画撮影モードＢの「電子カメラ２に対して主要被写体が遠くから近くに移動する動画像」を撮影するための処理について説明する。
【００３０】
図９に示すようにまず、制御部４は、表示部２０の表示面にスルー画像、表示面上部にユーザーに対して録画開始を促す「ＲＥＣボタンで撮影を開始します。」等のメッセージ、及び表示面右下部にユーザーに対して動画像の記録を開始する際に録画開始ボタン（この実施の形態ではＲＥＣボタン）を押下する旨を示すメッセージ等を表示する（ステップＳ３０）。
【００３１】
次に、制御部４は、ユーザーにより録画開始ボタン（ＲＥＣボタン）が押下されたか否かを判別する（ステップＳ３１）。ステップＳ３１において録画開始ボタンが押下されたと判別された場合には（ステップＳ３１、Ｙｅｓ）、制御部４は、切換前の記録フレームレートで動画像の記録を開始する（ステップＳ３２、図１０では時間ｔ１）。
【００３２】
記録フレームレートとは、単位時間に記録されるフレーム画像の数を示すものであり、切換前の記録フレームレート（以下、第１記録フレームレート）、及び第１記録フレームレートとは異なる切換後の記録フレームレート（以下、第２記録フレームレートという）は、予め設定され、図示しないメモリ等に記憶されている。「電子カメラ２に対して主要被写体が遠くから近くに移動する動画像」、即ち被写体像の大きさが所定閾値（後述する）よりも小さい値から大きい値へ変化する動画像を撮影する場合には、第１記録フレームレートは、第２記録フレームレートよりも少ない記録フレームレートに設定されている。この実施の形態では、第１記録フレームレートは６枚／秒、第２記録フレームレートは３０枚／秒に設定されている。
【００３３】
ステップＳ３２において、制御部４は、撮像素子６からの撮像信号に基づき出力される３０枚／秒のフレーム画像の中から、６枚／秒（第１記録フレームレート）のフレーム画像４０，４２のみを記録する。即ち、撮像素子６からの撮像信号に基づき出力される５枚のフレーム画像の中の１枚のフレーム画像４０，４２のみを記録していく。この場合において、制御部４は、記録するフレーム画像４０，４２のみを動画用バッファメモリ１２に格納するよう制御する。または、撮像素子６からの撮像信号に基づき出力されるすべてのフレーム画像を一旦、動画用バッファメモリ１２に格納し、後述する動画像ファイル作成時（ステップＳ３９）に動画像バッファメモリ１２から記録すべきフレーム画像４０，４２のみを読み出し、記録するよう制御してもよい。
【００３４】
次に、制御部４は、主要被写体像の大きさ情報を検出する（ステップＳ３３）。具体的には、制御部４は、大きさ情報検出部２６に対して制御信号を出力し、大きさ情報検出部２６は、制御部４からの制御信号に従い、メモリ等に記憶されているテンプレート３６（図８参照）から、例えばフレーム画像４２においてテンプレートマッチングを行うことにより撮影画面内の主要被写体像（車の像）４２ａを特定し、例えば撮影画面全体の画素数に対する主要被写体像の画素数を算出する等の周知の画像処理技術を用いて、撮影画面に対する主要被写体像の相対的な大きさ情報を検出する。この実施の形態では、撮影画面に対する車の像の相対的な面積を検出する。そして、大きさ情報検出部２６は、制御部４に対して検出結果を出力する。
【００３５】
次に、制御部４は、ステップＳ３３において検出した車の像の大きさ情報（撮影画面に対する相対的な面積）が所定閾値以上であるか否かを判別する（ステップＳ３４）。所定閾値は、予め設定されており、図示しないメモリ等に記憶されている。ステップＳ３４において所定閾値以上でないと判別された場合には（ステップＳ３４、Ｎｏ）、制御部４は、ステップＳ３３の処理に戻り、ステップＳ３４において所定閾値以上であると判別されるまでステップＳ３３及びＳ３４の処理を繰り返す。
【００３６】
一方、ステップＳ３４において所定閾値以上であると判別された場合には（ステップＳ３４、Ｙｅｓ）、制御部４は、記録フレームレートを、第１記録フレームレートから第２記録フレームレートに切り換える（ステップＳ３５、図１０では時間ｔ２）。即ち、制御部４は、撮像素子６からの撮像信号に基づき出力される３０枚／秒のフレーム画像のすべて（図１０では、３０枚／秒（第２記録フレームレート）のフレーム画像４４，４６，４８，５０）を記録する。
【００３７】
次に、制御部４は、録画可能時間が経過したか否かを判別する（ステップＳ３６）。録画可能時間は、１つの動画像を記録する最大時間であって、記録媒体１８の容量等に基づいて予め設定されており、図示しないメモリ等に記憶されている。ステップＳ３６において録画可能時間が経過していないと判別された場合には（ステップＳ３６、Ｎｏ）、制御部４は、ユーザーにより録画終了ボタン（この実施の形態ではＲＥＣボタン）が押下されたか否かを判別する（ステップＳ３７）。ステップＳ３７において録画終了ボタンが押下されていないと判別された場合には（ステップＳ３７、Ｎｏ）、制御部４は、ステップＳ３６の処理に戻り、ステップＳ３６及びＳ３７の処理を繰り返す。
【００３８】
一方、ステップＳ３６において録画可能時間が経過したと判別された場合（ステップＳ３６、Ｙｅｓ）、またはステップＳ３７において録画終了ボタンが押下されたと判別された場合（ステップＳ３７、Ｙｅｓ）には、制御部４は、動画像の記録を終了し（ステップＳ３８、図１０では時間ｔ３）、図１１に示すように、第１記録フレームレート下で記録されたフレーム画像４０，４２、及び第２記録フレームレート下で記録されたフレーム画像４４，４６，４８，５０を順次連結させて形成される動画像に基づいて動画像ファイル５２を作成する（ステップＳ３９）。そして、ステップＳ３９において作成した動画像ファイル５２を記録媒体１８に記録する。なお、ステップＳ３９の処理の前に、「記録してもよいですか？」等の記録媒体１８への記録を確認するメッセージ、及び「はい・いいえ」等の記録媒体１８への記録の有無を選択する選択肢を表示してもよい。
【００３９】
また、ステップＳ３１〜Ｓ３５の処理を行っている間に、録画可能時間が経過した場合、またはユーザーにより録画終了ボタンが押下された場合には、制御部４は、動画像の記録を終了し（ステップＳ３８）、ステップＳ３９の処理に移行する。
【００４０】
動画像ファイル５２内の動画像を再生する際は、制御部４は、記録媒体１８から動画像ファイル５２を読出し、フレーム画像４０から順次、表示部２０の表示面上に表示する。即ち、時間ｔ１からｔ２までの間に記録された動画像においては、撮像素子６からの撮像信号に基づき出力される５枚のフレーム画像のうちの１枚のフレーム画像のみが表示されるため、５倍速再生となり、車が実速度より５倍の速度で近づいてくる動画像が再生される。そして、時間ｔ２からｔ３までの間に記録された動画像においては、撮像素子６からの撮像信号に基づき出力されるすべてのフレーム画像が表示されるため、１倍速（等速）再生となり、車が実速度で移動する動画像が再生される。即ち、時間ｔ１からｔ２までは車が高速で表示され、時間ｔ２からｔ３までは、時間ｔ１から時間ｔ２までと比較して車がスローな速度で表示される。
【００４１】
次に、シナリオ動画撮影モードＢの「電子カメラ２に対して主要被写体が近くから遠くに移動する動画像」を撮影するための処理について説明する。制御部４は、図９に示すステップＳ３０及びＳ３１の処理を行った後、切換前の記録フレームレートで動画像の記録を開始する（ステップＳ３２）。「電子カメラ２に対して主要被写体が近くから遠くに移動する動画像」、即ち被写体像の大きさが所定閾値よりも大きい値から小さい値へ変化する動画像を撮影する場合には、第２記録フレームレートは、第１記録フレームレートよりも少ない記録フレームレートに設定されている。具体的には、第１記録フレームレートは３０枚／秒、第２記録フレームレートは６枚／秒に設定されている。
【００４２】
制御部４は、撮像素子６からの撮像信号に基づき出力される３０枚／秒（第１記録フレームレート）のフレーム画像のすべてを記録する。そして、図９に示すステップＳ３３の処理を行った後、ステップＳ３４の処理に代えて、ステップＳ３３において検出した被写体像の大きさ情報が所定閾値以下であるか否かを判別する。所定閾値以下であると判別されると、制御部４は、記録フレームレートを、第１記録フレームレートから第２記録フレームレートに切り換える。即ち、撮像素子６からの撮像信号に基づき出力される５枚のフレーム画像の中の１枚のフレーム画像のみを記録していく。そして、図９に示すステップＳ３６〜Ｓ３８の処理を行った後、第１記録フレームレート（３０枚／秒）下で記録されたフレーム画像、及び第２記録フレームレート（６枚／秒）下で記録されたフレーム画像を順次連結させて形成される動画像に基づいて動画像ファイルを作成する（ステップＳ３９）。
【００４３】
この場合には、時間ｔ１からｔ２までの間に記録された動画像においては１倍速（等速）再生となり、被写体が実速度で移動する動画像が再生される。そして、時間ｔ２からｔ３までの間に記録された動画像においては５倍速再生となり、被写体が実速度より５倍の速度で遠ざかる動画像が再生される。
【００４４】
第１の実施の形態に係る電子カメラ２によれば、被写体像の大きさ情報に基づいて記録フレームレートを自動的に切り換えることができるため、略等速で移動している被写体が電子カメラ２に対して遠いときは速く、近いときは遅く移動しているように再生される動画像、即ち印象的な映像効果を有する動画像を容易に作成することができる。即ち、電子カメラ２に対して車が遠くにいるときには数倍速で再生し、近くに到達したときには等倍で再生することにより、近づいた車の詳細を時間をかけて鑑賞することができる動画像を容易に作成することができる。
【００４５】
次に、図面を参照して、本発明の第２の実施の形態に係る電子カメラについて説明する。なお、第２の実施の形態に係る電子カメラにおいては、第１の実施の形態に係る電子カメラ２の構成と同一の構成を有しているため、その説明を省略し、同一の構成には同一の符号を用いて説明を行う。
【００４６】
第２の実施の形態に係る電子カメラにおいても、第１の実施の形態に係る電子カメラ２と同様に、略等速で移動している被写体が電子カメラに対して遠いときは速く、近いときは遅く移動しているように再生される動画像を自動的に撮影することができる。第２の実施の形態においては、第１の実施の形態と同様に、制御部４は、図２に示すステップＳ１０〜Ｓ１４の処理を終えた後、ステップＳ１５の処理に移行する。図１２は、第２の実施の形態に係る電子カメラにおいて、シナリオ動画撮影モードＢの「電子カメラ２に対して主要被写体が遠くから近くに移動する動画像」を撮影するための処理について説明するためのフローチャート、図１３は、タイムチャートである。なお、ステップＳ４０及びＳ４１の処理は、図９に示すステップＳ３０及びＳ３１の処理と同一のため、その説明を省略する。
【００４７】
次に、制御部４は、主要被写体像の大きさ情報を検出する（ステップＳ４２）。即ち、図９に示すステップＳ３３の処理と同様の処理を行う。そして、ステップＳ４２において検出された主要被写体像の大きさ情報に基づいて、動画像の記録開始時の第１記録フレームレートを設定する（ステップＳ４３）。この実施の形態では、主要被写体像の大きさ情報に対応する第１記録フレームレートのテーブルが図示しないメモリ等に記憶されており、テーブルに基づいて第１記録フレームレートを設定する。具体的には、主要被写体像の大きさ情報が所定閾値を超えない範囲で順次大きくなると、第１記録フレームレートも順次上げる。例えば、主要被写体像の面積が撮影画面に対して１０％、２０％、３０％と大きくなるに従い、第１記録フレームレートを６枚／秒、１２枚／秒、１８枚／秒と上げていく。なお、第１記録フレームレートは、第２記録フレームレートを超えない範囲内で上げる。
【００４８】
この実施の形態では、ステップＳ４２において主要被写体像の面積が撮影画面に対して１０％であると検出され、ステップＳ４３において第１記録フレームレートが６枚／秒に設定されたものとする。
【００４９】
次に、制御部４は、ステップＳ４３において設定された第１記録フレームレートで動画像の記録を開始する（ステップＳ４４、図１３では時間ｔ１０）。即ち、撮像素子６からの撮像信号に基づき出力される３０枚／秒のフレーム画像の中から、６枚／秒のフレーム画像５４のみを記録する。次に、制御部４は、主要被写体像の大きさ情報を検出し（ステップＳ４５）、検出した主要被写体像の大きさ情報が所定閾値以上であるか否かを判別する（ステップＳ４６）。ステップＳ４６において所定閾値以上でないと判別された場合には（ステップＳ４６、Ｎｏ）、制御部４は、第１記録フレームレートを上げるか否かを判別する（ステップＳ４７）。即ち、ステップＳ４５において検出された主要被写体像の面積が撮影画面に対して１０％以上２０％未満であった場合には、第１記録フレームレートを上げないと判別し、２０％以上であった場合には、第１記録フレームレートを上げると判別する。
【００５０】
ステップＳ４７において第１記録フレームレートを上げると判別された場合には（ステップＳ４７、Ｙｅｓ）、制御部４は、第１記録フレームレートを上げる（ステップＳ４８）。例えば、図１３に示す時間ｔ２０において主要被写体像の面積が撮影画面に対して２０％であると検出された場合には（ステップＳ４５）、第１記録フレームレートを６枚／秒から１２枚／秒に上げる（ステップＳ４８）。同様に、図１３に示す時間ｔ３０において主要被写体像の面積が撮影画面に対して３０％であると検出された場合には（ステップＳ４５）、第１記録フレームレートを１２枚／秒から１８枚／秒に上げる（ステップＳ４８）。
【００５１】
一方、ステップＳ４７において第１記録フレームレートを上げないと判別された場合には（ステップＳ４７、Ｎｏ）、ステップＳ４５の処理に戻り、ステップＳ４６において所定閾値以上であると判別されるまで、ステップＳ４５〜Ｓ４８の処理を繰り返す。なお、ステップＳ４６，Ｓ４９〜Ｓ５２の処理は、図９に示すステップＳ３４〜Ｓ３８の処理と同一のため、その説明を省略する。また、図１３に示す時間ｔ４０は、ステップＳ４９において記録フレームレートの切換えが行われた時間であり、時間ｔ５０は、ステップＳ５２において動画像の記録が終了した時間である。
【００５２】
そして、制御部４は、第１記録フレームレート（６枚／秒、１２枚／秒、１８枚／秒）下で記録されたフレーム画像５４，５６，５８、及び第２記録フレームレート（３０枚／秒）下で記録されたフレーム画像６０を順次連結させて形成される動画像に基づいて動画像ファイル６２を作成する（ステップＳ５３）。
【００５３】
この場合には、時間ｔ１０からｔ２０まで５倍速で、時間ｔ２０からｔ３０まで２．５倍速で、時間ｔ３０からｔ４０まで約１．７倍速で、時間ｔ４０からｔ５０まで１倍速（等速）で動画像が再生される。
【００５４】
次に、第２の実施の形態に係る電子カメラにおいて、シナリオ動画撮影モードＢの「電子カメラ２に対して主要被写体が近くから遠くに移動する動画像」を撮影するための処理について説明する。
【００５５】
制御部４は、図１２に示すステップＳ４０及びＳ４１の処理を行った後、ステップＳ４２及びＳ４３の処理を行うことなく、切換前の記録フレームレートで動画像の記録を開始する（ステップＳ４４）。即ち、撮像素子６からの撮像信号に基づき出力される３０枚／秒（第１記録フレームレート）のフレーム画像のすべてを記録する。そして、図１２に示すステップＳ４５の処理を行った後、ステップＳ４６の処理に代えて、ステップＳ４５において検出した被写体像の大きさ情報が所定閾値以下であるか否かを判別する。所定閾値以下であると判別されると、制御部４は、記録フレームレートを、第１記録フレームレートから第２記録フレームレートに切り換える。
【００５６】
次に、制御部４は、主要被写体像の大きさ情報を検出し、検出された主要被写体像の大きさ情報に基づいて、第２記録フレームレートを下げるか否かの判別を行う。この実施の形態では、主要被写体像の大きさ情報に対応する第２記録フレームレートのテーブルが図示しないメモリ等に記憶されており、テーブルに基づいて第２記録フレームレートを設定する。具体的には、主要被写体像の大きさ情報が所定閾値以下の範囲内で順次小さくなると、第２記録フレームレートも順次下がる。例えば、主要被写体像の面積が撮影画面に対して３０％、２０％、１０％と小さくなるに従い、第２記録フレームレートを１８枚／秒、１２枚／秒、６枚／秒と下げていく。なお、第２記録フレームレートは、第１記録フレームレート未満の範囲内で下げる。このように、録画可能時間が経過するまで（ステップＳ５０、Ｙｅｓ）、または録画終了ボタンが押下されるまで（ステップＳ５１、Ｙｅｓ）、制御部４は、第２記録フレームレートの制御を行う。
【００５７】
そして、制御部４は、第１記録フレームレート（３０枚／秒）下で記録されたフレーム画像、及び第２記録フレームレート（１８枚／秒、１２枚／秒、６枚／秒）下で記録されたフレーム画像を順次連結させて形成される動画像に基づいて動画像ファイルを作成する（ステップＳ５３）。
【００５８】
第２の実施の形態に係る電子カメラよれば、第１の実施の形態に係る電子カメラ２における効果に加えて、被写体像が大きくなるに従い第１記録フレームレートを上げることができるため、遠くから近くに移動する車を違和感なく倍速再生し、かつ近づいた車の詳細を鑑賞することができる動画像を容易に作成することができる。また、被写体像が小さくなるに従い第２記録フレームレートを下げることができるため、電子カメラに対して近くを移動中の車の詳細を鑑賞することができ、かつ近くから遠くに移動する車を違和感なく倍速再生することができる動画像を容易に作成することができる。
【００５９】
なお、第１及び第２の実施の形態においては、主要被写体像の大きさ情報に基づいて第１記録フレームレートから第２記録フレームレートに切り換えているが、主要被写体像の大きさ情報及び撮影画面内における主要被写体像の位置に基づいて、第１記録フレームレートから第２記録フレームレートに切り換える構成にすることもできる。この場合には、主要被写体像の位置を検出する位置検出部を更に備え、大きさ情報検出部及び位置検出部による検出結果に基づいて記録フレームレートの切換えを行う。位置検出部は、テンプレートから撮影画面内の主要被写体像を特定し、撮影画面内における主要被写体像の位置を検出する。そして、主要被写体が電子カメラに対して遠くから近くに移動している場合には、例えば所定閾値以上であり、かつ位置検出部により主要被写体像の位置が撮影画面内の中央部に位置していると検出されたとき、記録フレームレートを切り換える。また、主要被写体が撮影画面に対して左から右へ（または右から左へ）移動している場合には、例えば所定閾値以上であり、かつ位置検出部により主要被写体像の位置が撮影画面内の右側部（左側部）に位置していると検出されたとき、記録フレームレートを切り換える。
【００６０】
また、第１及び第２の実施の形態においては、第１記録フレームレート及び第２記録フレームレートが予め設定されているが、第１記録フレームレート及び第２記録フレームレートの少なくとも１つを変更可能に構成することもできる。この場合には、メニューの中のメニュー項目に第１記録フレームレート及び第２記録フレームレートの少なくとも１つを設定する項目を加え、動画像を撮影する前に、メニュー画面を表示部２０に表示し、十字キー等を用いて操作することにより第１記録フレームレート、第２記録フレームレート及び所定時間の少なくとも１つの設定を行う。
【００６１】
次に、図面を参照して、本発明の第３の実施の形態に係る電子カメラについて説明する。なお、第３の実施の形態に係る電子カメラの構成は、第１の実施の形態に係る電子カメラ２の構成から大きさ情報検出部２６（図１参照）を取り除いたものである。したがって、第３の実施の形態に係る電子カメラについては、図１に示す電子カメラ２の構成と同一の構成には同一の符号を用いてその説明を行う。
【００６２】
第３の実施の形態に係る電子カメラにおいても、第１の実施の形態に係る電子カメラ２と同様に、略等速で移動している被写体が電子カメラに対して遠いときは速く、近いときは遅く移動しているように再生される動画像を自動的に撮影することができる。第３の実施の形態においては、第１の実施の形態と同様に、制御部４は、図２に示すステップＳ１０〜Ｓ１３の処理を終えた後、ステップＳ１４（図６に示すステップＳ２０〜Ｓ２２）の処理を行うことなく、ステップＳ１５の処理に移行する。図１４は、第３の実施の形態に係る電子カメラにおいて、シナリオ動画撮影モードＢの「電子カメラ２に対して主要被写体が遠くから近くに移動する動画像」を撮影するための処理について説明するためのフローチャートである。なお、ステップＳ６０〜Ｓ６２の処理は、図９に示すステップＳ３０〜Ｓ３２の処理と同一のため、その説明を省略する。
【００６３】
次に、制御部４は、動画像の記録を開始してから所定時間が経過したか否かを判別する（ステップＳ６３）。所定時間は、第１記録フレームレート（６枚／秒）で動画像を記録する時間であり、予め設定され、図示しないメモリ等に記憶されている。ステップＳ６３において所定時間が経過したと判別された場合には（ステップＳ６３、Ｙｅｓ）、制御部４は、記録フレームレートを、第１記録フレームレートから第２記録フレームレート（３０枚／秒）に切り換える（ステップＳ６４）。なお、ステップＳ６５〜Ｓ６８の処理は、図９に示すステップＳ３６〜Ｓ３９の処理と同一のため、その説明を省略する。
【００６４】
また、第３の実施の形態に係る電子カメラにおいて、シナリオ動画撮影モードＢの「電子カメラに対して主要被写体が近くから遠くに移動する動画像」を撮影するための処理も、「電子カメラに対して主要被写体が遠くから近くに移動する動画像」を撮影するための処理（図１４に示すステップＳ６０〜Ｓ６８）と同様の処理である。なお、「電子カメラに対して主要被写体が近くから遠くに移動する動画像」を撮影する場合には、第１記録フレームレートは３０枚／秒、第２記録フレームレート６枚／秒に設定されている。
【００６５】
第３の実施の形態に係る電子カメラよれば、第１記録フレームレートで動画像を記録する時間である所定時間が予め設定されているため、大きさ情報検出部２６を備えていなくとも、第１の実施の形態において撮影したのと同様の動画像を容易に撮影することができる。
【００６６】
なお、第３の実施の形態に係る電子カメラにおいて、第２の実施の形態に係る電子カメラで撮影する動画像（第１記録フレームレートを徐々に上げる動画像、または第２記録フレームレートを徐々に下げる動画像）を撮影することもできる。この場合には、所定時間よりもさらに短い時間を設定し、その時間が経過する度に第１記録フレームレートを徐々に上げる（または、第２記録フレームレートを徐々に下げる）。
【００６７】
また、第３の実施の形態においては、第１記録フレームレート、第２記録フレームレート及び所定時間が予め設定されているが、予め設定された第１記録フレームレート、第２記録フレームレート及び所定時間の少なくとも１つをデフォルトとし、第１記録フレームレート、第２記録フレームレート及び所定時間の少なくとも１つを変更可能に構成することもできる。この場合には、メニューの中のメニュー項目に第１記録フレームレート、第２記録フレームレート及び所定時間の少なくとも１つを設定する項目を加え、動画像を撮影する前に、メニュー画面を表示部２０に表示し、十字キー等を用いて操作することにより第１記録フレームレート、第２記録フレームレート及び所定時間の少なくとも１つの設定を行う。
【００６８】
また、「電子カメラに対して主要被写体が遠くから近くに移動する動画像」を撮影する場合には、図１４に示すステップＳ６０の処理の前に、図１５に示すような第１記録フレームレート及び所定時間を設定する設定画面７０を表示部２０に表示してもよい。ユーザーにより、設定画面７０上において十字キー等を用いて、所定時間（図１５では、３秒）、及び第１記録フレームレート（図１５では、３倍速（１０枚／秒））が設定され、ＯＫボタンが押下されると、制御部４は、ステップＳ６０の処理に移行する。
【００６９】
また、「電子カメラに対して主要被写体が近くから遠くに移動する動画像」を撮影する場合には、図１４に示すステップＳ６０の処理の前に、図１６に示すような第２記録フレームレート及び所定時間を設定する設定画面７２を表示部２０に表示してもよい。ユーザーにより、設定画面７２上において十字キー等を用いて、所定時間（図１６では、３秒）、及び第２記録フレームレート（図１６では、３倍速（１０枚／秒））が設定され、ＯＫボタンが押下されると、制御部４は、ステップＳ６０の処理に移行する。
【００７０】
なお、十字キーやＯＫボタンを用いる代わりに、電子カメラにタッチパネルＩ／Ｆ、及びタッチパネルＩ／Ｆに接続され、表示部２０の表示画面上に設けられるタッチパネルを備え、このタッチパネルを用いて設定画面７０，７２上において第１記録フレームレート、第２記録フレームレート及び所定時間を設定する構成にしてもよい。この場合には、制御部４は、タッチパネル（表示部２０の表示画面）上に例えばユーザーの指、ペン等で触れることによりタッチパネルＩ／Ｆを介して認識し、認識結果に基づいた処理を行う。
【００７１】
また、第１及び第２の実施の形態においては、十字キーやＯＫボタンを用いてテンプレートを設定しているが（図６に示すステップＳ２１）、上述のタッチパネルを用いてテンプレートを設定する構成にしてもよい。この場合には、タッチパネル上でユーザーの指、ペン等により主要被写体像を指定する。
【００７２】
また、動画用バッファメモリ１２内にすべての動画像を格納しておき、動画像の撮影後において、第１記録フレームレート、第２記録フレームレート及び所定時間等を設定し、設定に基づいて動画像ファイルを作成してもよい。
【００７３】
なお、上述のように、第１記録フレームレート、第２記録フレームレート及び所定時間の少なくとも１つを手動で設定する場合には、設定可能な範囲外の記録フレームレート（例えば、撮像素子６から出力可能なフレームレートより多いフレームレート）や時間（例えば、録画可能時間より長い所定時間等）をユーザーが設定できないよう制御する構成にするとよい。
【００７４】
なお、上述の各実施の形態においては、「電子カメラに対して主要被写体が遠くから近くに移動する動画像」と、「電子カメラに対して主要被写体が近くから遠くに移動する動画像」とを撮影しているが、これらを組み合わせた動画像、即ち「電子カメラに対して主要被写体が遠くから近くに、更に近くから遠くに移動する動画像」及び「電子カメラに対して主要被写体が近くから遠くに、更に遠くから近くに移動する動画像」を撮影することもできる。
【００７５】
また、上述の各実施の形態においては、録画可能時間が予め設定されており、録画可能時間より長い時間の録画を禁止しているが、ユーザーにより録画終了ボタンが押下されるまで本発明に係る動画像の記録を継続する構成にすることもできる。また、予め設定された録画可能時間をデフォルトとし、録画可能時間を変更可能に構成することもできる。
【００７６】
また、上述の各実施の形態においては、動画像の記録と同時に音声を記録することもできる。
【００７７】
なお動画像記録と同時に音声を記録する際には、再生時と同じフレームレート３０枚／秒（高フレームレート）で撮影している期間は、動画像の記録と並行して撮影シーンのリアルタイムな音声を同時記録するのが好ましい。このように構成することで、この高フレームレート撮影期間の動画像を再生するときには、映像とリアルタイム音声とを合わせて再生することができ、本シナリオ動画モードで撮影された動画の印象を更に深めることが出来る。
【００７８】
その一方、６枚／秒などの少ないフレームレート（低フレームレート）で撮影している期間については、再生フレームレートが高フレームレート（例えば３０枚／秒）であるとすると、その撮影期間に録音した音声は再生しても効果がない（音声も高速に再生されることになるたり耳障りな音声再生になる虞が高い）ため無音とするのが好ましい。或いはこの期間については高速での画像再生に合わせた音声（例えばカメラ内メモリに予め記憶されている効果音や音楽など）を、この撮影期間（低フレームレート撮影期間）の動画像データに対応付けして記録するようにしても良い。
【符号の説明】
【００７９】
２…電子カメラ、４…制御部、６…撮像素子、８…アンプ・Ａ／Ｄ変換部、１０…マイク、１２…動画用バッファメモリ、１４…静止画用バッファメモリ、１６…音声用バッファメモリ、１８…記録媒体、２０…表示部、２２…スピーカ、２４…操作部、２６…大きさ情報検出部。
【図１】
0005509781.tif 000002
【図２】
0005509781.tif 000003
【図３】
0005509781.tif 000004
【図４】
0005509781.tif 000005
【図５】
0005509781.tif 000006
【図６】
0005509781.tif 000007
【図７】
0005509781.tif 000008
【図８】
0005509781.tif 000009
【図９】
0005509781.tif 000010
【図１０】
0005509781.tif 000011
【図１１】
0005509781.tif 000012
【図１２】
0005509781.tif 000013
【図１３】
0005509781.tif 000014
【図１４】
0005509781.tif 000015
【図１５】
0005509781.tif 000016
【図１６】
0005509781.tif 000017